(57)【要約】【課題】偏波角度の調整が容易で，１箇所でバランス良く安定したマイクロ波機器の支持を可能とするアンテナを提供することを課題とする。【解決手段】マイクロ波機器の筐体が挿入可能な凹部を有し，該凹部の底にはマイクロ波機器の導波管フランジ面と，フィードホン，またはフィードホンと連結したＯＭＴの導波管フランジ面とを電気的，機械的に連結する導波管構造の穴が貫通されたアダプターにより，パラボラ反射鏡に固定された支持アームの支持部材７に対して１８０度以上回動可能で，その任意の回動角度に調整および固定できるように構成した。フィードホン，またはフィードホンと連結したＯＭＴ，アダプター，マイクロ波機器を連結した送受信装置の略重心位置で，アダプターを支持アームの支持部材で支持することにより，重量バランス良く一箇所で支持するように構成した。【選択図】  図３
2005079878.tif 000002
【特許請求の範囲】
【請求項１】
パラボラ反射鏡を有し，導波管の開口部を備えた送信機または受信機等のマイクロ波機器と，フィードホン，またはフィードホンと連結した偏波分波機（以降ＯＭＴと表す）を備え，
マイクロ波機器の筐体が挿入可能な凹部を有し，該凹部の底には導波管構造の穴が貫通され，マイクロ波機器のフランジ面と，フィードホンまたはフィードホンと連結したＯＭＴの導波管フランジ面とを電気的，機械的に連結するアダプターを設けたことを特徴としたアンテナ。
【請求項２】
上記アダプターに取り付けたマイクロ波機器は，上記アダプターに設けた導波管構造の穴の中心を軸として，
パラボラ反射鏡に固定された支持アームの支持部材に対して回動角度を１８０度以上調整可能で，その任意の角度に固定することを特徴とした請求項１に記載のアンテナ。
【請求項３】
上記フィードホン，またはフィードホンと連結したＯＭＴと，アダプター，マイクロ波機器を連結した送受信装置の略重心位置で，アダプターを支持アームの支持部材で支持することを特徴とした請求項１又は請求項２の何れかに記載のアンテナ。
【発明の詳細な説明】
【技術分野】
【０００１】
本発明は，主に衛星を使ったＶＳＡＴ（Very  Ｓmall  Ａperture  Ｔerminal）の地球局に用いられるアンテナに関し，詳しくはその送信機の固定および偏波角度の調整に関する。
【背景技術】
【０００２】
従来のアンテナでは，重量のある送信機を偏波角度の調整できるように支持するために，送信機を筐体の離れた２個所で支持していた。
（例えば，特許文献１参照）
【０００３】
【特許文献１】特開２００２−１５１９２１号公報
【発明の開示】
【発明が解決しようとする課題】
【０００４】
しかし，従来のアンテナによると，送信機のように重量のあるマイクロ波機器では，その筐体を離れた２箇所で支持していたので構造が複雑で取り付けや偏波角度の調整に時間がかかるといった問題が有った。
そこで本願においては，こうした問題点を解決するためになされたものであり，
その目的は，導波管構造の穴を貫通させたアダプターを用いて，偏波角度の調整が容易で，一箇所で安定にマイクロ波機器を支持するアンテナを提供することを課題とする。
他の目的は，送受信装置の略重心位置で，上記アダプターを支持アームの支持部材で支持することによりバランス良く送受信装置を支持できるアンテナを提供することを課題とする。
【課題を解決するための手段】
【０００５】
上記課題を解決するために，請求項1の発明は，マイクロ波の通信に使用するパラボラ反射鏡を有するアンテナにおいて，導波管の開口部を備えたマイクロ波機器の導波管フランジ面と，フィードホン，またはフィードホンと連結したＯＭＴを備え，マイクロ波機器の筐体が挿入可能な凹部を有し，該凹部の底には導波管構造の穴が貫通され，マイクロ波機器のフランジ面とフィードホン，またはフィードホンと連結したＯＭＴの導波管フランジ面とを電気的，機械的に連結するアダプターで構成される。
【０００６】
請求項２の発明は，貫通した導波管の中心を軸として，パラボラ反射鏡に固定された支持アームの支持部材に対するマイクロ波機器の回動角度が１８０度以上調整可能で，その任意の回動角度に調整および固定できるアダプターで構成される。
【０００７】
請求項３の発明は，上記フィードホン，またはフィードホンと連結したＯＭＴと，アダプター，マイクロ波機器を連結した時の略重心位置に，アダプターと支持アームの接合部を設けるように構成される。
【発明の効果】
【０００８】
以上詳述したように，請求項１の発明によれば，マイクロ波の通信に使用するパラボラ反射鏡を有するアンテナにおいて，マイクロ波機器と，フィードホン，またはフィードホンと連結したＯＭＴを備え，
マイクロ波機器の筐体が挿入可能な凹部を有し，該凹部の底にはマイクロ波機器の導波管フランジ面および，フィードホン，またはフィードホンと連結したＯＭＴの導波管フランジ面とを電気的，機械的に連結する導波管構造の穴が貫通されたアダプターを用いたので，マイクロ波機器を安定な状態で支持できる
【０００９】
請求項２の発明によれば，上記アダプターに取り付けたマイクロ波機器は上記アダプターに設けた導波管の中心を軸として，パラボラ反射鏡に固定された支持アームの支持部材に対して回動角度を１８０度以上調整可能でその任意の角度に固定できるので，最初にどの角度にマイクロ波機器を取り付けても容易に所望の回動角度に調整および固定ができる。
【００１０】
請求項３の発明によれば，上記フィードホン，またはフィードホンと連結したＯＭＴと，アダプター，マイクロ波機器を連結した送受信装置の略重心位置で，アダプターを支持アームの支持部材で支持しているので，重量バランス良く一箇所で支持することができる。
【発明を実施するための最良の形態】
【００１１】
以下に，本発明を具体化した実施形態の例を，基に詳細に説明する。
図１，はＶＳＡＴの地球局に用いられるアンテナ装置の側面図であって，パラボラ反射鏡１の焦点位置の近傍には支持アーム１１に取り付けられた送受信装置８が配置されている。
送受信装置８はフィードホン２，ＯＭＴ３，アダプター４，受信機５，送信機６で構成されている。
衛星から水平偏波で送信された１２.２５〜１２.７５ＧＨｚの電波は，パラボラ反射鏡１で反射され，フィードホン２，ＯＭＴ３，アダプター4，を介して受信機５に入力され，増幅，周波数変換等の処理後，受信出力端子から室内装置へ接続される。
一方，室内装置から出力された送信信号は送信機６の送信入力端子に送られ，送信機６で１４.０〜１４.５ＧＨｚに周波数変換され，増幅等の処理後，アダプター４，ＯＭＴ３，フィードホン２，パラボラ反射鏡１を介して垂直偏波で衛星へ放射される。
【００１２】
衛星と地球局の間で通信をするには，衛星の電波の偏波角度に地球局のアンテナ装置の偏波角度をあわせる必要がある。
次に，本発明のアンテナにおける構造および偏波角度の調整方法について，図３,図４の送受信装置の分解図を基に説明する。
アダプター４のＯＭＴ側フランジ面４ａには，フィードホン２と受信機５が取り付けられたＯＭＴ３が接合される。また，アダプター４のアダプター凹部４ｇには送信機６が嵌め込まれ，送信機側フランジ面４ｈと送信機のフランジ面６ａが接合される。
【００１３】
フィードホン２，受信機５，ＯＭＴ３および送信機６が取り付けられたアダプター４は支持部７へ，円弧状の溝７ｂとアダプター４の円弧状の凸条４ｃが嵌合するように，さらに，押さえ片７ａの円弧状の溝７ｃとアダプター４の円弧状の凸条４ｃが嵌合するように，ビス１２を締め付けることにより固定される。
また，ビス１２を緩めることにより，円弧状の溝７ｂとアダプター４の円弧状の凸条４ｃ，および，押さえ片７ａの円弧状の溝７ｃとアダプター４の円弧状の凸条４ｃとの間にわずかに隙間が生じてアダプター４は支持部７に対して回動可能になる。偏波角度の調整をする場合はこのような状態にして，受信機５の出力端子９にスペクトラムアナライザー等の機器を接続して，受信出力が最大になるように偏波角度を調整し，その位置でビス１２を締め付けて固定する。
【００１４】
なお，衛星から送信される電波の偏波角度に地球局のアンテナ装置の偏波角度が合っていれば，地球局から送信する電波の偏波角度はＯＭＴ３により９０度の角度差となる。
図５は，フィードホン２，ＯＭＴ３，受信機５を取り外した状態で，ＯＭＴ３側からアダプター４を見たときのようすを示す。
図５（ａ），図５（ｂ）図５（ｃ）は支持部７に対して，アダプター４の取り付け角度を変化させたとき，アダプターの導波管４ａの角度が，アダプターの導波管４ａの中心３０を軸にして変化する様子を示している。このように，支持部７に対するアダプターの導波管４ｂの角度を変えることにより，衛星に対するアンテナの偏波角度を調整することができる。
【００１５】
図２は送受信装置のみの側面図を示す。アダプター４により，支持部７を送受信装置８の略重心位置に配置したので，重量バランスが良く，重量のある送受信装置８を使用する場合でも一箇所で支持することができる。
また，支持部７に対してアダプター４は１８０度以上の広範囲で回動可能なので，最初に任意の角度で送受信装置８を取り付けても容易に所望する偏波角度に調整および固定することができる。
図６（ａ）はアダプター４，支持部７，押さえ片７ａの断面図を示す。
【００１６】
これまでの説明は，送受信装置に送信機６，受信機５を備えた例を示したが，送信機６のみを取り付けて使用してもよいし，受信機５のみのを取り付けて使用してもよい。このような場合には，ＯＭＴ３の使用しないポートは終端または短絡等の処理をしても良い。また，ＯＭＴ３を使用しない場合は，アダプター４の導波管に適合するフィードホンを使用するか，または変換器を用いる。
さらに，重量やその他の条件によっては送信機６と受信機５を入れ替えて使用してもよい。また，送信機のみ２台，または受信機のみ２台の組み合わせで使用してもよい。ＯＭＴ３およびアダプター４にはフィルター等を形成しても良い。
また，アダプター４には放熱のためのフィンを設けても良い。アダプター４の凸条４ｃおよび支持部７の溝７ｂ，押さえ片７ａの溝７cは一本でも良いし，複数あっても良い。また，アダプター４の凸条４ｃを溝にして，支持部７の溝７ｂおよび押さえ片７ａの溝７ｃを凸条にしても良い。この場合には，押さえ片７ａの凸条は設けなくてもよい。
アダプター４の凹部４ｇのフランジ面以外では，送信機６はアダプター４の凹部４ｇに密着するように取り付けても良いし，空間を設けて固定しても良い。
尚，本発明は上記実施の形態に限定されるものではなく，本発明の趣旨を逸脱しない範囲で各部の構成並びに周波数等を適宜に変更して実施することも可能である。
【図面の簡単な説明】
【００１７】
【図１】本発明に係るアンテナ装置の側面図の１例を示す。
【図２】送受信装置の側面図の１例を示す。
【図３】送受信装置の分解図の１例を示す。
【図４】アダプター４と送信機６の嵌合の１例を示す。
【図５】アダプター４を回転させた例を示す。
【図６】アダプター４，支持部７，押さえ片７ａの断面図を示す。
【符号の説明】
【００１８】
１…パラボラ反射鏡，２…フィードホン，３…ＯＭＴ，４…アダプター，４ａ…アダプターのＯＭＴ側フランジ面,４ｂ…アダプター４の導波管, ４ｃ…凸条,４ｇ…凹部,４ｈ…送信機側フランジ面,５…受信機，６…送信機，６ａ…送信機のフランジ面,７…支持部，７ａ…押さえ片，７ｂ…溝，７ｃ…溝，７ｄ…アダプター受け部,８…送受信装置，９…受信出力端子，１０…送信入力端子，１１…支持アーム，１２…ビス，２０…ポール。
【図１】
2005079878.tif 000003
【図２】
2005079878.tif 000004
【図３】
2005079878.tif 000005
【図４】
2005079878.tif 000006
【図５】
2005079878.tif 000007
【図６】
2005079878.tif 000008